(57)【特許請求の範囲】
【請求項１】
遊技機本体に装着され、遊技者に押圧操作される押しボタン部材を備える押しボタンユニット体であって、
前記遊技機本体に固定され、遊技者側に開放された押しボタン収容空間を有するベース体と、
前記ベース体の押しボタン収容空間内に配置された押しボタン部材と、
前記ベース体に固定され、電子部品が実装された基板と、
を備え、
前記押しボタン部材は、
該押しボタン部材の押圧方向に沿って前記ベース体に対して進退し、かつ遊技者側に開放された基板収容空間を有するプランジャー体と、
前記基板収容空間を遮蔽するように前記プランジャー体に装着されるカバー体と、
を具備し、
前記基板は、前記ベース体に固定された状態で前記基板収容空間内に配置され、かつ、前記押しボタン部材の側方を囲繞する前記ベース体の側壁部のうち、前記プランジャー体と前記カバー体との境界部の少なくとも一部に対向する位置に、導電性を有する基板保護用導電部が配置されており、
前記基板保護用導電部に対向する前記境界部は、前記押しボタン部材の側面に配置されている
ことを特徴とする押しボタンユニット体。
【請求項２】
前記基板と前記カバー体との間に、遊技者側から視認可能な装飾部材が配置され、
前記装飾部材の表面は導電性を有し、前記基板保護用導電部と対向する前記境界部のうち少なくとも一部と該装飾部材の一部とが対向し、かつ、前記基板保護用導電部と対向しない前記境界部の一部と前記装飾部材の他の一部とが対向している
請求項１に記載の押しボタンユニット体。
【発明の詳細な説明】
【技術分野】
【０００１】
本発明は、遊技者に押圧操作される遊技機用の押しボタン部材を備え、押しボタン部材の内部に配置された基板が静電気により破壊されてしまうことを防止できる押しボタンユニット体に関する。
【背景技術】
【０００２】
電子機器に備えられた操作ボタン等にあっては、例えば特許文献１に開示されているように、操作スイッチのキートップと、キートップを押し下げると電気的に接続される接点部とを有する構成は既に知られている。さらに、かかる構成にあっては、キートップ等に発生した静電気を外装ケースに良好に逃がすべく、キートップの近傍に導通面が設けられている。
【０００３】
また、スロットマシン等の遊技機にあっては、例えば特許文献２に開示されているように、ユニット化されている操作ボタン装置が既に知られている。かかる構成にあっては、電子銃等を用いた不正操作等を防止すべく、操作ボタンユニットとカバー部材との間に、導電材料からなるシールド板が挟持されており、シールド板がアース接続されている。
【０００４】
さらに、例えば特許文献３には、遊技者が操作する始動レバーのツマミ部を有し、ツマミ部の静電気を除電するアルミテープが貼り付けられた遊技機が開示されている。
【先行技術文献】
【特許文献】
【０００５】
【特許文献１】特開２０００−３２３２９５号公報
【特許文献２】特開２００９−１７２２１６号公報
【特許文献３】特開２００８−１８８２８１号公報
【発明の概要】
【発明が解決しようとする課題】
【０００６】
しかしながら、特許文献１に開示されている構成は、操作スイッチ構造全体がユニット化されていないため、操作スイッチを本体に取り付ける作業工程と、静電気対策のための構造を施す作業工程とが個別に必要となる。例えば、静電気対策の作業工程の一例として、キートップ周囲の金属ケースの一部を削り取って導通面を露出させるという非常に煩雑な構成が開示されている。
【０００７】
また、特許文献２に開示されている操作ボタン装置は、アース接続されたシールド板自体が操作ボタン装置の内部に組み込まれており、全体として操作ボタン装置が大型化してしまうという問題がある。
【０００８】
さらに、特許文献３に開示されている構成は、アルミテープが筐体側に配置されており、レバー構造がユニット化されていないため、ツマミ部等を本体に取り付ける作業工程と、アルミテープを筐体側に貼り付ける作業工程とが個別に必要となり、構造も複雑化してしまう。
【０００９】
そこで、本発明は、電気的な不正操作や静電気による誤動作等に対する静電気対策が既になされ、またコンパクト化され、また遊技機本体への取付け作業が簡便となる押しボタンユニット体を提供することを目的とする。
【課題を解決するための手段】
【００１０】
本発明は、遊技機本体に装着され、遊技者に押圧操作される押しボタン部材を備える押しボタンユニット体であって、前記遊技機本体に固定され、遊技者側に開放された押しボタン収容空間を有するベース体と、前記ベース体の押しボタン収容空間内に配置された押しボタン部材と、前記ベース体に固定され、電子部品が実装された基板と、を備え、前記押しボタン部材は、該押しボタン部材の押圧方向に沿って前記ベース体に対して進退し、かつ遊技者側に開放された基板収容空間を有するプランジャー体と、前記基板収容空間を遮蔽するように前記プランジャー体に装着されるカバー体と、を具備し、前記基板は、前記ベース体に固定された状態で前記基板収容空間内に配置され、かつ、前記押しボタン部材の側方を囲繞する前記ベース体の側壁部のうち、前記プランジャー体と前記カバー体との境界部の少なくとも一部に対向する位置に、導電性を有する基板保護用導電部が配置されており、前記基板保護用導電部に対向する前記境界部は、前記押しボタン部材の側面に配置されていることを特徴とする押しボタンユニット体である。
【００１１】
かかる構成は、基板をプランジャー体内に配置しているため、押しボタンユニット体全体の厚みを薄くすることが可能となり、結果としてコンパクト化された構造となっている。加えて、ユニット化された構造であるため、遊技機本体への取付け作業が簡便となっている。
【００１２】
また、上記した構成では、基板をプランジャー体内に配置したことにより、遊技者が触れる押しボタン部材の表面と基板との距離が近くなる。このため、例えば静電気が溜まった遊技者が押しボタン部材の表面に触れることで押しボタン部材の表面等を静電気が流れると、静電気は境界部を介してプランジャー体内の基板に向かいやすくなる。しかし、本発明は、境界部に対向する位置に基板保護用導電部を配置したため、かかる静電気を、プランジャー体内に侵入する前に基板保護用導電部に誘引することが可能となる。
以上のように、本発明に係る押しボタンユニット体は、静電気対策が既になされたユニット構造となり、遊技機本体への取付け作業と静電気対策のための作業が共に簡便となる。
【００１３】
ところで、押しボタン部材の静電気対策として、押しボタン部材自体に直接アース接続を行う等の対策が通常考えられる。しかし、押しボタン部材は、押圧されることでベース体に対して進退する可動部材であり、このような可動部材を常時アース接続させておく構成は、可動部材が進退してもアース接続をするための配線が他の部材と干渉しないように考慮する必要や、可動部材が進退しても配線に負荷がかからないように配線を配置する必要などがあり、設計が煩雑で面倒となり、結果的に構造が複雑化してしまう。また、場合によっては、押しボタン部材が繰り返し進退することでアース接続に繋がる部分が疲労し、クラック等が発生する等して静電気対策が長期にわたって維持できないおそれもある。
しかし、本発明にあっては、基板保護用導電部がベース体の側壁部に配置されており、基板保護用導電部と押しボタン部材とが連動しないため、構造が複雑化せず設計を簡単にすることができ、上述したようなクラック等の問題も生じない。
【００１４】
また、基板保護用導電部は、遊技者側から隠れて見えないため、美観に優れている。
なお、基板保護用導電部は、押しボタン部材が押圧されたときにのみ境界部と対向してもよいし、押しボタン部材が押圧されていないときにのみ境界部と対向してもよいし、勿論、押圧されているか否かに関わらず、押しボタン部材のいずれの位置においても境界部と対向していてもよい。
【００１５】
また、本発明に係る押しボタンユニット体の具体的な構成として、前記基板と前記カバー体との間に、遊技者側から視認可能な装飾部材が配置され、前記装飾部材の表面は導電性を有し、前記基板保護用導電部と対向する前記境界部のうち少なくとも一部と該装飾部材の一部とが対向し、かつ、前記基板保護用導電部と対向しない前記境界部の一部と前記装飾部材の他の一部とが対向している構成が提案される。
【００１６】
かかる構成にあっては、押しボタン部材内に、遊技者の関心を惹く装飾部材をコンパクトに配置することができるため、遊技機の意匠性を向上させることができる。
加えて、仮に、基板保護用導電部と対向しない境界部の部分の周辺に静電気が帯電した場合にも、装飾部材を介して基板保護用導電部に静電気を適切に誘引することが可能となる。
【図面の簡単な説明】
【００１７】
【図１】実施例１にかかる遊技機本体に装着された押しボタンユニット体の内部構造を示す断面図である。
【図２】実施例１にかかるカバー体を取り外した状態の押しボタンユニット体を示す一部切欠平面図である。
【図３】実施例１にかかる押しボタンユニット体を図２のＡ−Ａ切断線を基準にして分解して示す説明図である。
【図４】実施例１にかかる押しボタンユニット体における電荷移動を模式的に示しており、（ａ）は押しボタン部材が押圧されていない状態の説明図であり、（ｂ）は押しボタン部材が押圧されている状態の説明図である。
【図５】実施例１にかかる押しボタンユニット体における他の態様の電荷移動を模式的に示しており、（ａ）は押しボタン部材が押圧されていない状態の説明図であり、（ｂ）は押しボタン部材が押圧されている状態の説明図である。
【図６】実施例２にかかる押しボタンユニット体における電荷移動を模式的に示しており、（ａ）は押しボタン部材が押圧されていない状態の説明図であり、（ｂ）は押しボタン部材が押圧されている状態の説明図である。
【発明を実施するための形態】
【００１８】
本発明を遊技機としてのスロットマシンに適用した実施形態を、以下の実施例に従って説明する。
【００１９】
〔実施例１〕
実施例１の押しボタンユニット体１０Ａを図１〜図５に従って説明する。
押しボタンユニット体１０Ａは、図１に示すように、スロットマシンの遊技機本体１に装着される。
【００２０】
押しボタンユニット体１０Ａは、図１，図３に示すように、遊技者側に開放された押しボタン収容空間Ｘを有する箱形形状をなしたベース体２０を備えている。そして、ベース体２０の押しボタン収容空間Ｘ内に、遊技者に押圧操作される演出ボタンである押しボタン部材３０が配置されている。
【００２１】
ベース体２０は、押しボタン収容空間Ｘを囲繞する側壁部２１を具備しており、その外側面には、固定用孔２２が設けられた一対の固定用突片２３が設けられている。なお、固定用孔２２には、固定手段としての金属製のボルト（図示省略）が挿通可能となっており、これによりベース体２０が遊技機本体１に固定される。
【００２２】
また、ベース体２０の底部には、ネジ台２４が押しボタン収容空間Ｘに向けて突出状に形成されている。そして、光透過型センサ４２やＬＥＤ素子４３等の電子部品が実装された基板４０が、ネジ４１（図１参照）を介してネジ台２４に取り付けられている。また、基板４０には、遊技機本体１に取り付けられた本体基板（図示省略）と電気的に接続される接続端子４４が備えられている。
【００２３】
一方、押しボタン部材３０は、遊技者側に開放された基板収容空間Ｙを有するプランジャー体３１と、基板収容空間Ｙを遮蔽するようにプランジャー体３１に装着された透明性を有するカバー体３５と、を具備している。
【００２４】
プランジャー体３１は、押しボタン部材３０の押圧方向Ｍに沿ってベース体２０に対して進退可能な構造を有している。具体的には、図１に示すように、プランジャー体３１とベース体２０との間には、コイルバネ３８が配置されており、コイルバネ３８が、プランジャー体３１をベース体２０側から遊技者側に向けて付勢している。
【００２５】
また、図１，図３に示すように、プランジャー体３１の底部であって、コイルバネ３８の内空部に位置する箇所には、基板４０に実装された光透過型センサ４２の光路を遮光するための遮光板３２が遊技機本体１側に向かって突出状に形成されている。
【００２６】
さらに、プランジャー体３１の基板収容空間Ｙには、上述したベース体２０に固定された基板４０が配置されている。
【００２７】
そして、図１に示すように、プランジャー体３１の周縁部とカバー体３５の周縁部とが突き合わせされた部分によって、プランジャー体３１とカバー体３５との境界部３７が形成されている。
【００２８】
さらに、図１〜図３に示すように、プランジャー体３１とカバー体３５との間には、遊技者側から視認可能で表面が導電性を有する板状の装飾部材５０が配置されている。装飾部材５０の外寸は、カバー体３５の内寸よりわずかに小さい寸法形状に設定されており、装飾部材５０の全周縁部が、境界部３７の全周と対向している。
【００２９】
さらに、図１に示すように、ベース体２０の側壁部２１とプランジャー体３１との間、及び側壁部２１とカバー体３５との間にはそれぞれ隙間ｄが形成されており、押しボタン部材３０が進退する押圧操作された際にも、互いに干渉しない配置となっている。
【００３０】
なお、ベース体２０、プランジャー体３１、及びカバー体３５は、非導電性の樹脂材料によって形成されている。
【００３１】
上述した構成にあって、押しボタン部材３０が押圧されていない状態にあっては、カバー体３５の表面となる操作面３６が遊技機本体１の表面からわずかに遊技者側に突出した位置に配され、かつ、光透過型センサ４２の光路はプランジャー体３１の遮光板３２によって遮られた状態となっている。
【００３２】
次に、押しボタン部材３０の操作態様を説明する。
遊技者が押しボタン部材３０のカバー体３５の操作面３６を押圧すると、プランジャー体３１がベース体２０内に押し込まれ、遮光板３２が光透過型センサ４２の光路から離脱する。
【００３３】
そうすると、光透過型センサ４２がこれを検知し、押しボタン部材３０が押圧操作されたことを示す電気信号を本体基板に送信する。
【００３４】
次に、本発明の要部について説明する。
押しボタン部材３０を囲繞するベース体２０の側壁部２１のうち、押しボタン部材３０の境界部３７の一部に少なくとも対向する位置に、導電性を有する基板保護用導電部６０が形成されている。具体的には、基板保護用導電部６０の一部を構成する平板状の側板部６１が、ベース体２０の側壁部２１に配置されている。そして、側板部６１の寸法形状は、押しボタン部材３０の押圧操作に関わらず境界部３７と常時対向するような寸法形状に設定されている。
【００３５】
なお、側板部６１は、図１において左側に位置する側壁部２１の位置にのみ配置されており、以下、側板部６１と対向する境界部３７の部分を導電部側境界部３７ａ（図２，４等参照）として説明し、側板部６１と対向しない境界部３７の部分を非導電部側境界部３７ｂ（図２，４等参照）として説明をする。
【００３６】
さらに、側板部６１には、ベース体２０に設けられた固定用突片２３の一方の側面を被覆する導電性の突片部６２が連続状に形成されている。なお、突片部６２において、固定用突片２３に設けられた固定用孔２２に対応する位置には、ボルト（図示省略）を挿通可能とする孔部６３が設けられている。
【００３７】
かかる構成にあって、ベース体２０の固定用突片２３に設けられた固定用孔２２に金属製のボルトが挿通されると、上述のように押しボタンユニット体１０Ａ全体が遊技機本体１に固定され、かつ、基板保護用導電部６０が、ボルトを介してアース接続される。
【００３８】
ここで、図４（ａ）に示すように、押しボタン部材３０が押圧されていない状態で、例えば、カバー体３５の操作面３６のうち、基板保護用導電部６０に近い側に静電気が発生した場合、かかる静電気は、矢印Ａに示すようにカバー体３５の側面を流れ、基板保護用導電部６０の側板部６１に誘引される。したがって、静電気の発生によって基板４０が電気的に破壊されることを防止することができる。
ここで、押しボタンユニット体１０Ａにおける静電気の流れは、いわゆる押しボタンユニット体１０Ａ内における沿面距離及び空間距離等に基づいて定まるものである。具体的に説明すると、静電気が発生した位置を基準として、互いに方向が異なる２つの地点があるとき、静電気は、静電気が発生した位置を基準として、電気的な距離が短いほうの地点に向けて流れる。このとき、沿面距離や空間距離が長くなると、電気的な距離はそれに応じて長くなるが、静電気が流れる経路上に金属などの導電性を有する部材がある場合、実用上、導電性を有する部材の寸法は電気的な距離から除外される。
【００３９】
ここで、図４（ａ）において、仮に、基板保護用導電部６０が形成されていない場合は、静電気は、矢印Ｂに示すようにカバー体３５の側面及び境界部３７を流れ、さらに、矢印Ｃに示すように、導電性を有する装飾部材５０を介して基板４０に向かって流れてしまう。
【００４０】
換言すると、基板保護用導電部６０を備えないとすれば、操作面３６にて発生した静電気は、矢印Ｂ及び矢印Ｃで示したように、境界部３７を経由した経路を流れようとする。
しかしながら、押しボタンユニット体１０Ａでは、境界部３７と対向する位置に、基板保護用導電部６０の側板部６１が配置されている。そして、操作面３６と基板保護用導電部６０の側板部６１との電気的な距離（操作面３６と基板保護用導電部６０の側板部６１との最短沿面距離）は、操作面３６と基板４０との電気的な距離（操作面３６と装飾部材５０との最短沿面距離と、装飾部材５０と基板４０との最短の空間距離とを合計した距離）より短くなっている。
このため、境界部３７付近に到達した静電気は、電気的な距離が短い基板保護用導電部６０の側板部６１に誘引されるので、静電気が境界部３７を介して基板４０に向かって流れてしまうことを回避することが可能となる。
つまり、操作面３６と基板保護用導電部６０の側板部６１との電気的な距離を、操作面３６と基板４０との電気的な距離よりも短くすることで、静電気が境界部３７を介して基板４０に向かって流れてしまうことを回避することが可能となる。
【００４１】
これまでに述べたように、押しボタンユニット体１０Ａは、押しボタン部材３０の外側であって境界部３７と対向する位置に基板保護用導電部６０を配置したため、押しボタン部材３０の操作面３６と基板保護用導電部６０との電気的な距離を十分に接近させた設計がし易くなると共に、操作面３６と押しボタン部材３０内にある基板４０との電気的な距離を十分に離間させた設計がし易くなる。したがって、押しボタンユニット１０Ａを可及的にコンパクト化しようとする設計と、基板４０の静電気対策のための設計とを無理なく両立させることが可能となる。
【００４２】
また、図４（ｂ）に示すように、押しボタン部材３０が押圧されている際にカバー体３５の操作面３６のうち、基板保護用導電部６０に近い側に静電気が発生した場合にも、かかる静電気は、矢印Ｄに示すようにカバー体３５の側面を流れ、基板保護用導電部６０の側板部６１に誘引される。したがって、静電気の発生によって基板４０が電気的に破壊されることを防止することができる。
【００４３】
ここで、仮に、基板保護用導電部６０が形成されていない場合は、静電気は、矢印Ｅに示すようにカバー体３５の側面及び境界部３７を流れ、さらに、矢印Ｆに示すように、装飾部材５０を介して基板４０に向かって流れてしまう。
【００４４】
換言すると、操作面３６にて発生した静電気は、矢印Ｅ及び矢印Ｆで示すように、境界部３７を経由する経路を流れようとするが、押しボタンユニット体１０Ａでは、押しボタン部材３０が押圧されている状態における境界部３７の位置と対向する位置に、基板保護用導電部６０の側板部６１が配置されている。そして、操作面３６と基板保護用導電部６０の側板部６１との電気的な距離（操作面３６と基板保護用導電部６０の側板部６１との最短沿面距離）は、操作面３６と基板４０との電気的な距離（操作面３６と装飾部材５０との最短沿面距離と、装飾部材５０と基板４０との最短の空間距離とを合計した距離）より短くなっている。
このため、境界部３７付近に到達した静電気は、押しボタン部材３０が押圧されている状態においても、電気的な距離が短い基板保護用導電部６０の側板部６１に誘引されるので、静電気が境界部３７を介して基板４０に向かって流れてしまうことを回避することが可能となる。
つまり、押しボタン部材３０が押圧されている状態においても、操作面３６と基板保護用導電部６０の側板部６１との電気的な距離を、操作面３６と基板４０との電気的な距離より短くすることで、静電気が境界部３７を介して基板４０に向かって流れてしまうことを回避することが可能となる。
【００４５】
また、図５（ａ）に示すように、押しボタン部材３０が押圧されていない状態で、例えば、カバー体３５の操作面３６のうち、基板保護用導電部６０から遠い位置で静電気が発生した場合、かかる静電気は、矢印Ｇに示すようにカバー体３５の側面を流れ、次いで非導電部側境界部３７ｂを介して押しボタン部材３０内に侵入し、導電性を有する装飾部材５０の表面を流れて、導電部側境界部３７ａを介して矢印Ｈに示すように基板保護用導電部６０の側板部６１に誘引される。
換言すると、非導電部側境界部３７ｂの周辺で発生した静電気は、非導電部側境界部３７ｂを介して押しボタン部材３０内に侵入し、矢印Ｚ１で示すように導電性を有する装飾部材５０の表面を介して基板４０に向かって流れることや、矢印Ｚ２で示すようにプランジャー体３１の基板収容空間Ｙ側の表面を介して基板４０に向かって流れることが考えられる。
しかしながら、押しボタンユニット体１０Ａでは、導電部側境界部３７ａと対向し、かつ、非導電部側境界部３７ｂにも対向する位置に、導電性を有する表面を備える装飾部材５０が配置されている。そして、非導電部側境界部３７ｂと基板保護用導電部６０の側板部６１との電気的な距離は、非導電部側境界部３７ｂと基板４０との電気的な距離よりも短くなっている。
具体的に説明すると、非導電部側境界部３７ｂと基板４０との電気的な距離は、矢印Ｚ１で示す経路で静電気が流れるときは、非導電部側境界部３７ｂと装飾部材５０の表面との最短沿面距離と、装飾部材５０の表面と基板４０との最短の空間距離とを合計した距離となり、矢印Ｚ２で示す経路で静電気が流れるときは、プランジャー体３１の基板収容空間Ｙ側の表面を経由した非導電部側境界部３７ｂと基板４０との最短沿面距離となる。
一方、非導電部側境界部３７ｂと基板保護用導電部６０の側板部６１との電気的な距離は、経路上にある装飾部材５０の表面が導電性を有するので電気的な距離から除外されるため、非導電部側境界部３７ｂと基板４０との電気的な距離に比べて、短くすることができる。
具体的には、非導電部側境界部３７ｂと基板保護用導電部６０の側板部６１との電気的な距離は、非導電部側境界部３７ｂから装飾部材５０の非導電部側境界部３７ｂと対向する端部までの距離と、装飾部材５０の導電部側境界部３７ａと対向する端部から導電部側境界部３７ａを経て基板保護用導電部６０の側板部６１に至るまでの距離とを合計した距離となる。
このため、非導電部側境界部３７ｂと基板保護用導電部６０の側板部６１との電気的な距離は、非導電部側境界部３７ｂと基板保護用導電部６０の側板部６１との実際の距離に比べて、実際の距離の大部分を占める装飾部材５０の寸法が除外されるため、短くなる。
これにより、非導電部側境界部３７ｂと基板保護用導電部６０の側板部６１との電気的な距離が、非導電部側境界部３７ｂと基板４０との電気的な距離よりも、短くなるように、基板４０を配置することができる。
そして、非導電部側境界部３７ｂと基板保護用導電部６０の側板部６１との電気的な距離を、非導電部側境界部３７ｂと基板４０との電気的な距離よりも短くすることで、基板保護用導電部６０と対向しない非導電部側境界部３７ｂの周辺に静電気が帯電した場合に、装飾部材５０を介して基板保護用導電部６０に静電気を適切に誘引することができる。
したがって、かかる場合にも、静電気の発生によって基板４０が電気的に破壊されることを防止することができる。
【００４６】
これまでに述べたように、押しボタンユニット体１０Ａは、押しボタン部材３０の外側であって境界部３７と対向する位置に基板保護用導電部６０を配置したため、押しボタン部材３０の操作面３６と基板保護用導電部６０との電気的な距離を、装飾部材５０を導電路として有効に利用しつつ十分に接近させた設計がし易くなると共に、操作面３６と押しボタン部材３０内にある基板４０との電気的な距離を十分に離間させた設計がし易くなる。したがって、装飾部材５０が内蔵された状態で押しボタンユニット１０Ａを可及的にコンパクト化しようとする設計と、基板４０の静電気対策のための設計とを無理なく両立させることが可能となる。
【００４７】
また、図５（ｂ）に示すように、押しボタン部材３０が押圧されている際に、例えば、カバー体３５の操作面３６のうち、基板保護用導電部６０から遠い位置で静電気が発生した場合にも、かかる静電気は、矢印Ｊに示すようにカバー体３５の側面を流れ、次いで非導電部側境界部３７ｂを介して押しボタン部材３０内に侵入し、かつ装飾部材５０の表面を流れて、矢印Ｋに示すように導電部側境界部３７ａを介して基板保護用導電部６０の側板部６１に誘引される。
換言すると、非導電部側境界部３７ｂの周辺で発生した静電気は、非導電部側境界部３７ｂを介して押しボタン部材３０内に侵入し、矢印Ｚ３で示すように導電性を有する装飾部材５０を介して基板４０に向かって流れることや、矢印Ｚ４で示すようにプランジャー体３１の基板収容空間Ｙ側の表面を介して基板４０に向かって流れることが考えられる。
しかしながら、押しボタンユニット体１０Ａでは、押しボタン部材３０が押圧されている状態において、導電部側境界部３７ａと対向し、かつ、非導電部側境界部３７ｂと対向する位置に、導電性を有する表面を備える装飾部材５０が配置されており、非導電部側境界部３７ｂと基板保護用導電部６０の側板部６１との電気的な距離は、非導電部側境界部３７ｂと基板４０との電気的な距離よりも短くなっている。
具体的に説明すると、非導電部側境界部３７ｂと基板４０との電気的な距離は、矢印Ｚ３で示す経路で静電気が流れるときは、非導電部側境界部３７ｂと装飾部材５０との最短沿面距離と、装飾部材５０と基板４０との最短の空間距離とを合計した距離となり、矢印Ｚ４で示す経路で静電気が流れるときは、プランジャー体３１の基板収容空間Ｙ側の表面を経由した非導電部側境界部３７ｂと基板４０との最短沿面距離となる。
一方、非導電部側境界部３７ｂと基板保護用導電部６０の側板部６１との電気的な距離は、経路上にある装飾部材５０が導電性を有するので電気的な距離から除外されるため、非導電部側境界部３７ｂと基板４０との距離に比べて、短くすることができる。
具体的には、非導電部側境界部３７ｂと基板保護用導電部６０の側板部６１との電気的な距離は、非導電部側境界部３７ｂから装飾部材５０の非導電部側境界部３７ｂと対向する端部までの距離と、装飾部材５０の導電部側境界部３７ａと対向する端部から導電部側境界部３７ａを経て基板保護用導電部６０の側板部６１に至るまでの距離とを合計した距離となる。
このため、非導電部側境界部３７ｂと基板保護用導電部６０の側板部６１との電気的な距離は、非導電部側境界部３７ｂと基板保護用導電部６０の側板部６１との実際の距離に比べて、実際の距離の大部分を占める装飾部材５０の寸法が除外されるため、短くなる。
これにより、押しボタン部材３０が押圧されている状態においても、非導電部側境界部３７ｂと基板保護用導電部６０の側板部６１との電気的な距離は、非導電部側境界部３７ｂと基板４０との電気的な距離よりも短くなっている。
そして、押しボタン部材３０が押圧されている状態においても、非導電部側境界部３７ｂと基板保護用導電部６０の側板部６１との電気的な距離は、非導電部側境界部３７ｂと基板４０との電気的な距離よりも短いため、基板保護用導電部６０と対向しない非導電部側境界部３７ｂの周辺に静電気が帯電した場合に、装飾部材５０を介して基板保護用導電部６０に静電気を適切に誘引することができる。
したがって、かかる場合にも、静電気の発生によって基板４０が電気的に破壊されることを防止することができる。
【００４８】
なお、基板保護用導電部６０の側板部６１は、ベース体２０の側壁部２１において押しボタン部材３０と離間して配置されており、かつ、基板保護用導電部６０は押しボタン部材３０の押圧操作の有無に関わらず位置が変わらないため、押しボタンユニット体１０Ａは全体として構造が複雑化せず、部品等にクラック等が発生して静電気対策が維持できなくなる、といったことが抑制されている。
また、静電気対策が既になされたユニット構造となり、遊技機本体１への取付け作業と静電気対策のための作業が共に簡便となる。加えて、基板保護用導電部６０は、遊技者側から隠れて見えないため、美観に優れている。
【００４９】
さらに、押しボタンユニット体１０Ａは、押しボタン部材３０内に、遊技者の関心を惹く装飾部材５０がコンパクトに配置されているため、押しボタンユニット体１０Ａ全体の厚みを薄くすることができ、かつ、スロットマシンの意匠性を向上させることができる。
また、仮に基板保護用導電部６０と対向しない非導電部側境界部３７ｂの周辺に静電気が帯電した場合にも、装飾部材５０を介して基板保護用導電部６０に静電気を適切に誘引することができる。
【００５０】
〔実施例２〕
実施例２の押しボタンユニット体１０Ｂを図６に従って説明する。なお、押しボタンユニット体１０Ｂは、装飾部材５０が配置されていない以外は上記実施例１の押しボタンユニット体１０Ａと同様の構成を有しているため、同じ構成を有するものには同じ符号を付し、説明を省略する。
【００５１】
図６（ａ）に示すように、押しボタン部材３０が押圧されていない状態で、例えばカバー体３５の操作面３６のうち、基板保護用導電部６０に近い側で静電気が発生した場合、かかる静電気は、矢印Ｎに示すようにカバー体３５の側面を流れ、基板保護用導電部６０の側板部６１に誘引される。したがって、静電気の発生によって基板４０が電気的に破壊されることを防止することができる。
【００５２】
ここで、仮に、基板保護用導電部６０が形成されていない場合は、静電気が矢印Ｐに示すようにカバー体３５の側面を流れ、さらに、境界部３７を介して基板４０に向かって静電気が流れてしまう。
【００５３】
換言すると、操作面３６にて発生した静電気は、矢印Ｐで示ように、境界部３７を経由する経路を流れようとするが、押しボタンユニット体１０Ｂでは、境界部３７と対向する位置に、基板保護用導電部６０の側板部６１が配置されており、操作面３６と基板保護用導電部６０の側板部６１との電気的な距離（操作面３６と基板保護用導電部６０の側板部６１との最短沿面距離）は、操作面３６と基板４０との電気的な距離（操作面３６と基板４０との最短沿面距離）よりも短い。
このため、境界部３７付近に到達した静電気は、電気的な距離が短い基板保護用導電部６０の側板部６１に誘引されるので、静電気が境界部３７を介して基板４０に向かって流れてしまうことを回避することが可能となる。
つまり、操作面３６と基板保護用導電部６０の側板部６１との電気的な距離を、操作面３６と基板４０との電気的な距離よりも短くすることで、静電気が境界部３７を介して基板４０に向かって流れてしまうことを回避することが可能となる。
【００５４】
これまでに述べたように、押しボタンユニット体１０Ｂは、押しボタン部材３０の外側であって境界部３７と対向する位置に基板保護用導電部６０を配置したため、押しボタン部材３０の操作面３６と基板保護用導電部６０との電気的な距離を十分に接近させた設計がし易くなると共に、操作面３６と押しボタン部材３０内にある基板４０との電気的な距離を十分に離間させた設計がし易くなる。したがって、押しボタンユニット１０Ｂを可及的にコンパクト化しようとする設計と、基板４０の静電気対策のための設計とを無理なく両立させることが可能となる。
【００５５】
また、図６（ｂ）に示すように、押しボタン部材３０が押圧されている際にカバー体３５の操作面３６のうち、基板保護用導電部６０に近い側で静電気が発生した場合にも、かかる静電気は、矢印Ｑに示すようにカバー体３５の側面を流れ、基板保護用導電部６０の側板部６１に誘引される。したがって、静電気の発生によって基板４０が電気的に破壊されることを防止することができる。
【００５６】
ここで、仮に、基板保護用導電部６０が形成されていない場合は、静電気が矢印Ｒに示すようにカバー体３５の側面を流れ、さらに、境界部３７を介して基板４０に向かって電気が流れてしまう。
【００５７】
換言すると、操作面３６にて発生した静電気は、矢印Ｒで示ように、境界部３７を経由する経路を流れようとするが、押しボタンユニット体１０Ｂでは、押しボタン部材３０が押圧されている状態における境界部３７の位置と対向する位置に、基板保護用導電部６０の側板部６１が配置されており、操作面３６と基板保護用導電部６０の側板部６１との電気的な距離（操作面３６と基板保護用導電部６０の側板部６１との最短沿面距離）は、操作面３６と基板４０との電気的な距離（操作面３６と基板４０との最短沿面距離）よりも短いため、境界部３７付近に到達した静電気は、押しボタン部材３０が押圧されている状態においても、電気的な距離が短い基板保護用導電部６０の側板部６１に誘引されるので、静電気が境界部３７を介して基板４０に向かって流れてしまうことを回避することが可能となる。
つまり、押しボタン部材３０が押圧されている状態においても、操作面３６と基板保護用導電部６０の側板部６１との電気的な距離を、操作面３６と基板４０との電気的な距離よりも短くすることで、押しボタン部材３０が押圧されている状態においても、静電気が境界部３７を介して基板４０に向かって流れてしまうことを回避することが可能となる。
【００５８】
なお、上記実施例にあっては、押しボタンユニット体１０Ａ，１０Ｂの各部材の形状寸法は適宜自由に選択可能である。
【００５９】
また、例えば、カバー体３５は、全体が透明性を有する構成であってもよいし、透明性を有する部分が一部形成されている構成であってもよい。
【００６０】
なお、基板保護用導電部６０は、押しボタン部材３０が押圧されたときのみ境界部３７と対向してもよいし、押しボタン部材３０が押圧されていないときにのみ境界部３７と対向してもよい。
【００６１】
また、基板保護用導電部６０は、境界部３７の少なくとも一部に対向する位置に配置されていればよく、部分的に対向していない箇所があっても構わない。
また、基板保護用導電部６０が、境界部３７と全周にわたって対向するように形成されている構成であってもよい。
【００６２】
また、装飾部材５０は、表面のみ導電性を有している必要はなく、全体が導電性材料によって形成されていても構わない。
【００６３】
さらに、装飾部材５０の周縁部が、境界部３７と全周にわたって対向するような構成であってもよいし、基板保護用導電部６０と対向する導電部側境界部３７ａのうち一部と装飾部材５０の一部とが対向し、かつ、基板保護用導電部６０と対向しない非導電部側境界部３７ｂの一部と装飾部材５０の他の一部とが対向している構成であってもよい。
【００６４】
また、基板４０は、押しボタン部材３０の作動と関連する回路を有していてもよいし、押しボタン部材３０の作動と関連しない回路を有していてもよい。具体的に押しボタン部材３０の作動と関連する回路としては、押しボタン部材３０の押圧操作に基づいて押しボタン部材３０の押圧状態又は非押圧状態を検知する回路が例示される。また、具体的に押しボタン部材３０の作動と関連しない回路としては、ＬＥＤ素子４３によって押しボタン部材３０内を照らして演出的な発光態様を提供するための回路が例示される。
【符号の説明】
【００６５】
１              遊技機本体
１０Ａ，１０Ｂ  押しボタンユニット体
２０            ベース体
２１            側壁部
３０            押しボタン部材
３１            プランジャー体
３５            カバー体
３７            境界部
４０            基板
５０            装飾部材
６０            基板保護用導電部
Ｘ              押しボタン収容空間
Ｙ              基板収容空間
【要約】
【課題】電気的な不正操作や静電気による誤動作等に対する静電気対策が既になされ、またコンパクト化され、また遊技機本体への取付け作業が簡便となる押しボタンユニット体を提供する。
【解決手段】押しボタン部材３０のプランジャー体３１の基板収容空間Ｙ内において基板４０がベース体２０に対して固定され、かつ、押しボタン部材３０を囲繞するベース体２０の側壁部２１のうち、プランジャー体３１とカバー体３５との境界部３７の少なくとも一部に対向する位置に、導電性を有する基板保護用導電部６０が配置されている押しボタンユニット体１０Ａであると、静電気対策がなされ、かつコンパクト化され、そして取付け作業が簡便となる。
【選択図】図１【図１】
0005977421.tif 000002
【図２】
0005977421.tif 000003
【図３】
0005977421.tif 000004
【図４】
0005977421.tif 000005
【図５】
0005977421.tif 000006
【図６】
0005977421.tif 000007